(57)【特許請求の範囲】
【請求項１】
振動板を有し、且つ、音響信号及び電気信号のいずれか一方の信号が入力された場合に、当該振動板が振動することによって当該入力された信号を他方の信号に変換する信号変換器と、
内部空間が形成されるとともに当該内部空間に前記信号変換器を収容する筐体と、
を備え、
前記筐体には、当該筐体の外部に開口する開口部が形成され、
前記筐体は、前記内部空間を、第１の分割空間及び第２の分割空間を含む複数の分割空間に分割する隔壁を有し、
前記振動板は、前記第１の分割空間を形成する隔壁の少なくとも一部を構成し、
前記筐体には、前記第１の分割空間と前記開口部とを連通する第１の連通路と、前記第２の分割空間と前記開口部とを連通する第２の連通路と、が形成され、
前記振動板は、前記第１の分割空間を形成する隔壁の少なくとも一部を構成するとともに、前記第２の分割空間を形成する隔壁の少なくとも一部を構成し、且つ、当該振動板の一方の面である前面が当該第１の分割空間に連接するように構成されるとともに、当該振動板の他方の面である背面が当該第２の分割空間に連接するように構成され、
前記第１の連通路と、前記第２の連通路と、が前記筐体の同じ面側に設けられている電子機器。
【請求項２】
請求項１に記載の電子機器であって、
前記複数の分割空間は、更に、第３の分割空間を含み、
前記筐体には、更に、前記第３の分割空間と前記開口部とを連通する第３の連通路が形成され、
前記第３の連通路は、前記第１の連通路及び前記第２の連通路と同じ面側に設けられている電子機器。
【請求項３】
請求項１又は２に記載の電子機器であって、
前記筐体は、密閉構造を有し、
前記第１の連通路及び前記第２の連通路にて、液体を遮断し且つ気体の通過を許容する防水膜を備える電子機器。
【請求項４】
請求項２に記載の電子機器であって、
前記筐体は、密閉構造を有し、
前記第１の連通路及び前記第２の連通路及び前記第３の連通路にて、液体を遮断し且つ気体の通過を許容する防水膜を備える電子機器。
【請求項５】
請求項１乃至請求項４のいずれか一項に記載の電子機器であって、
前記信号変換器は、前記電気信号が入力された場合に、当該入力された電気信号に基づいて前記振動板を振動させる駆動部を備え、
前記駆動部の少なくとも一部は、前記振動板の一方の面である背面に配設され、
前記振動板は、前記振動板の前記背面と逆側の面である前面が前記第１の分割空間に連接するように構成された電子機器。
【請求項６】
請求項１乃至請求項４のいずれか一項に記載の電子機器であって、
前記信号変換器は、前記音響信号が入力された場合に、当該入力された音響信号に応じた前記振動板の振動量を検出する検出部を備え、
前記検出部の少なくとも一部は、前記振動板の一方の面である背面に配設され、
前記振動板は、前記振動板の前記背面と逆側の面である前面が前記第１の分割空間に連接するように構成された電子機器。
【請求項７】
振動板を有し、且つ、音響信号及び電気信号のいずれか一方の信号が入力された場合に、当該振動板が振動することによって当該入力された信号を他方の信号に変換する信号変換器と、
内部空間が形成されるとともに当該内部空間に前記信号変換器を収容する筐体と、
を備え、
前記筐体には、当該筐体の外部に開口する開口部が形成され、
前記筐体は、前記内部空間を、第１の分割空間及び第２の分割空間を含む複数の分割空間に分割する隔壁を有し、
前記振動板は、前記第１の分割空間を形成する隔壁の少なくとも一部を構成し、
前記筐体には、前記第１の分割空間と前記開口部とを連通する第１の連通路と、前記第２の分割空間と前記開口部とを連通する第２の連通路と、が形成され、
前記振動板は、前記第１の分割空間を形成する隔壁の少なくとも一部を構成するとともに、前記第２の分割空間を形成する隔壁の少なくとも一部を構成し、且つ、当該振動板の一方の面である前面が当該第１の分割空間に連接するように構成されるとともに、当該振動板の他方の面である背面が当該第２の分割空間に連接するように構成され、
前記第１の連通路と、前記第２の連通路と、が前記筐体の同じ面側に設けられている携帯電話機。
【請求項８】
請求項７に記載の携帯電話機であって、
前記複数の分割空間は、更に、第３の分割空間を含み、
前記筐体には、更に、前記第３の分割空間と前記開口部とを連通する第３の連通路が形成され、
前記第３の連通路は、前記第１の連通路及び前記第２の連通路と同じ面側に設けられている携帯電話機。
【請求項９】
振動板を有し、且つ、音響信号及び電気信号のいずれか一方の信号が入力された場合に、当該振動板が振動することによって当該入力された信号を他方の信号に変換する信号変換器と、
内部空間が形成されるとともに当該内部空間に前記信号変換器を収容する筐体と、
を備えるとともに、
前記筐体が、前記内部空間を、第１の分割空間及び第２の分割空間を含む複数の分割空間に分割する隔壁を有し、
前記振動板が、前記第１の分割空間を形成する隔壁の少なくとも一部を構成する、電子機器に適用され、
前記筐体の外部に開口するように形成された開口部と、前記第１の分割空間と、を連通するように形成された第１の連通路を経由して、前記音響信号が、当該第１の分割空間と当該筐体の外部との間を伝搬し、
前記開口部と、前記第２の分割空間と、を連通するように形成された第２の連通路を空気が通過し、
前記振動板は、前記第１の分割空間を形成する隔壁の少なくとも一部を構成するとともに、前記第２の分割空間を形成する隔壁の少なくとも一部を構成し、且つ、当該振動板の一方の面である前面が当該第１の分割空間に連接するように構成されるとともに、当該振動板の他方の面である背面が当該第２の分割空間に連接するように構成され、
前記筐体の同じ面側に設けられている、前記第１の連通路を前記音響信号が伝搬し、前記第２の連通路を前記空気が通過する、信号伝搬方法。
【請求項１０】
請求項９に記載の信号伝搬方法であって、
前記複数の分割空間は、更に、第３の分割空間を含み、
前記開口部と、前記第３の分割空間と、を連通するように形成され、前記第１の連通路及び前記第２の連通路と同じ面側に設けられている第３の連通路を空気が通過する、信号伝搬方法。
【発明の詳細な説明】
【技術分野】
【０００１】
本発明は、音響信号及び電気信号の一方を他方へ変換する信号変換器を備える電子機器に関する。
【背景技術】
【０００２】
振動板を有し、且つ、音響信号（音波）及び電気信号のいずれか一方の信号が入力された場合に、当該振動板が振動することによって当該入力された信号を他方の信号に変換する信号変換器（レシーバ、スピーカ、又は、マイクロフォン）を備える電子機器が知られている。【０００３】
この種の電子機器の一つとして、特許文献１に記載の電子機器は、内部空間が形成された筐体を備える。内部空間は、第１の分割空間及び第２の分割空間を含む複数の分割空間に分割されている。信号変換器は、第１の内部空間に収容される。【０００４】
更に、筐体には、筐体の外部に開口する複数の開口部が形成される。加えて、筐体には、第１の分割空間と、上記複数の開口部の１つである第１の開口部と、を連通する第１の連通路と、第２の分割空間と、上記複数の開口部の他の１つである第２の開口部と、を連通する第２の連通路と、が形成される。【０００５】
音響信号は、第１の連通路を経由して、信号変換器と筐体の外部との間を伝搬する。また、第２の連通路を空気が通過することにより、第２の分割空間内の気圧と筐体の外部の気圧とが調整される。
【先行技術文献】
【特許文献】
【０００６】
【特許文献１】特開２００９−３３２４８号公報
【発明の概要】
【発明が解決しようとする課題】
【０００７】
このように、上記電子機器においては、筐体に比較的多くの開口部が形成される。このため、筐体のデザインの自由度が低下するという問題があった。また、このような問題は、振動板の前面と連接する第１の分割空間と、振動板の背面と連接する第２の分割空間と、が筐体の内部に形成されている場合においても、同様に生じる。【０００８】
このため、本発明の目的は、上述した課題である「筐体のデザインの自由度が低下すること」を解決することが可能な電子機器を提供することにある。
【課題を解決するための手段】
【０００９】
かかる目的を達成するため本発明の一形態である電子機器は、
振動板を有し、且つ、音響信号及び電気信号のいずれか一方の信号が入力された場合に、当該振動板が振動することによって当該入力された信号を他方の信号に変換する信号変換器と、
内部空間が形成されるとともに当該内部空間に上記信号変換器を収容する筐体と、
を備え、
上記筐体には、当該筐体の外部に開口する開口部が形成され、
上記筐体は、上記内部空間を、第１の分割空間及び第２の分割空間を含む複数の分割空間に分割する隔壁を有し、
上記振動板は、上記第１の分割空間を形成する隔壁の少なくとも一部を構成し、
上記筐体には、上記第１の分割空間と上記開口部とを連通する第１の連通路と、上記第２の分割空間と上記開口部とを連通する第２の連通路と、が形成される。【００１０】
また、本発明の他の形態である携帯電話機は、
振動板を有し、且つ、音響信号及び電気信号のいずれか一方の信号が入力された場合に、当該振動板が振動することによって当該入力された信号を他方の信号に変換する信号変換器と、
内部空間が形成されるとともに当該内部空間に上記信号変換器を収容する筐体と、
を備え、
上記筐体には、当該筐体の外部に開口する開口部が形成され、
上記筐体は、上記内部空間を、第１の分割空間及び第２の分割空間を含む複数の分割空間に分割する隔壁を有し、
上記振動板は、上記第１の分割空間を形成する隔壁の少なくとも一部を構成し、
上記筐体には、上記第１の分割空間と上記開口部とを連通する第１の連通路と、上記第２の分割空間と上記開口部とを連通する第２の連通路と、が形成される。【００１１】
また、本発明の他の形態である信号伝搬方法は、
振動板を有し、且つ、音響信号及び電気信号のいずれか一方の信号が入力された場合に、当該振動板が振動することによって当該入力された信号を他方の信号に変換する信号変換器と、
内部空間が形成されるとともに当該内部空間に上記信号変換器を収容する筐体と、
を備えるとともに、
上記筐体が、上記内部空間を、第１の分割空間及び第２の分割空間を含む複数の分割空間に分割する隔壁を有し、
上記振動板が、上記第１の分割空間を形成する隔壁の少なくとも一部を構成する、電子機器に適用され、
上記筐体の外部に開口するように形成された開口部と、上記第１の分割空間と、を連通するように形成された第１の連通路を経由して、上記音響信号が、当該第１の分割空間と当該筐体の外部との間を伝搬し、
上記開口部と、上記第２の分割空間と、を連通するように形成された第２の連通路を空気が通過する方法である。
【発明の効果】
【００１２】
本発明は、以上のように構成されることにより、筐体のデザインの自由度を高めることができる。
【図面の簡単な説明】
【００１３】
【図１】本発明の第１実施形態に係る電子機器の一部を示した斜視図である。
【図２】図１に示した電子機器の分解斜視図である。
【図３】図１及び図２のＩＩＩ−ＩＩＩ線により電子機器を切断した断面図である。
【図４】本発明の第１実施形態の第１変形例に係る電子機器を切断した断面図である。
【図５】本発明の第２実施形態に係る電子機器を切断した断面図である。
【図６】本発明の第２実施形態の第１変形例に係る電子機器を切断した断面図である。
【図７】本発明の第３実施形態に係る電子機器を切断した断面図である。
【図８】本発明の第４実施形態に係る電子機器を切断した断面図である。
【発明を実施するための形態】
【００１４】
以下、本発明に係る、電子機器、携帯電話機、及び、信号伝搬方法、の各実施形態について図１〜図８を参照しながら説明する。
【００１５】
＜第１実施形態＞
図１に示したように、第１実施形態に係る電子機器１０は、筐体１を備える。筐体１は、直方体状に形成されている。筐体１は、密閉構造を有する。本例では、電子機器１０は、携帯電話機である。筐体１は、基部２と、表面部３と、を含む。以下、Ｘ軸、Ｙ軸及びＺ軸からなる右手系の直交座標系を用いて説明を続ける。
【００１６】
図１に示したように、基部２は、直方体状に形成されている。基部２は、筐体１のうちのＺ軸負方向側の部分を構成している。表面部３は、平板状に形成されている。表面部３は、筐体１のうちのＺ軸正方向側の部分を構成している。表面部３は、Ｚ軸方向において基部２に積み重ねられるように配置されている。
【００１７】
表面部３には、Ｚ軸方向に貫通した貫通孔３ａが形成されている。貫通孔３ａは、筐体１の外部に開口する開口部を構成する。貫通孔（開口部）３ａは、表面部３のＸ軸正方向側の端部のうちの、Ｙ軸方向における中央部に位置している。
【００１８】
筐体１の分解斜視図である図２に示したように、基部２の内部には、直方体状の内部空間２１が形成されている。また、図１及び図２のＩＩＩ−ＩＩＩ線により筐体１を切断した断面図である図３、並びに、図２に示したように、基部２のＺ軸正方向側の表面には、基部２の外部に開口する第１の開口部２３及び第２の開口部２４が形成されている。第１の開口部２３は、内部空間２１と基部２の外部の空間とを連通する。同様に、第２の開口部２４は、内部空間２１と基部２の外部の空間とを連通する。
【００１９】
第１の開口部２３は、円形状を有する。また、第２の開口部２４は、Ｙ軸に沿った方向に延びる長辺と、Ｘ軸に沿った方向に延びる短辺と、を有する長方形状を有する。
【００２０】
また、電子機器１０は、直方体状の信号変換器２２を備える。本例では、信号変換器２２は、レシーバユニットである。即ち、信号変換器２２は、電気信号が入力された場合に、入力された電気信号を音響信号（音波）に変換する。
【００２１】
信号変換器２２は、筐体２２ａを備える。筐体２２ａは、Ｚ軸負方向に向かって電子機器１０を見た正面視において、第２の開口部２４と略同じ形状を有する。筐体２２ａは、第２の開口部２４に嵌め合わされている。筐体２２ａのＺ軸正方向側の表面は、基部２のＺ軸正方向側の表面と同一の平面内に位置するように配置されている。即ち、信号変換器２２は、内部空間２１に収容されている。なお、本例では、内部空間２１のうちの信号変換器２２以外の部分は、残余内部空間ＳＰＣとも呼ばれる。
【００２２】
筐体２２ａのＺ軸正方向側の表面には、信号変換器２２の外部に開口する複数（本例では、３つ）の開口部２２ｂが形成されている。また、筐体２２ａの内部には、直方体状の内部空間２２ｃが形成されている。各開口部２２ｂは、内部空間２２ｃ（後述する、前面側空間ＳＰＡ）と信号変換器２２の外部の空間とを連通する。
【００２３】
更に、信号変換器２２は、振動板２２ｄと、コイル２２ｅと、磁石２２ｆと、を含む。
振動板２２ｄは、端部が筐体２２ａの内壁面により保持されている。振動板２２ｄは、内部空間２２ｃをＺ軸方向において分割するように配置されている。なお、本明細書において、振動板２２ｄのＺ軸正方向側の表面は、前面とも呼ばれる。また、振動板２２ｄのＺ軸負方向側の表面は、背面とも呼ばれる。
【００２４】
また、内部空間２２ｃのうちの、振動板２２ｄよりもＺ軸正方向側の部分は、前面側空間ＳＰＡとも呼ばれる。更に、内部空間２２ｃのうちの、振動板２２ｄよりもＺ軸負方向側の部分は、背面側空間ＳＰＢとも呼ばれる。
【００２５】
コイル２２ｅは、振動板２２ｄのＺ軸負方向側の表面に固定されている。磁石２２ｆは、筐体２２ａの内壁面のうちのＺ軸負方向側の部分に固定されている。磁石２２ｆは、磁石２２ｆのＺ軸正方向側の端部が、コイル２２ｅに取り囲まれるように配置されている。
【００２６】
信号変換器２２は、電気信号が入力可能に構成される。信号変換器２２は、入力された電気信号に応じた電流をコイル２２ｅに流す。これにより、コイル２２ｅは、Ｚ軸方向において駆動される。その結果、振動板２２ｄは振動する。これにより、信号変換器２２は、音響信号（音波）を発生する。
【００２７】
このように、コイル２２ｅ及び磁石２２ｆは、信号変換器２２に入力された電気信号に基づいて振動板２２ｄを振動させる駆動部を構成している。即ち、駆動部の一部を構成するコイル２２ｅは、振動板２２ｄの背面に配設されている、と言うことができる。
【００２８】
また、筐体２２ａのＹ軸正方向側の表面には、開口部２２ｇが形成されている。開口部２２ｇは、信号変換器２２のＺ軸負方向側の端部に配置されている。開口部２２ｇは、背面側空間ＳＰＢと信号変換器２２の外部の空間とを連通する。このような構成により、開口部２２ｇは、背面側空間ＳＰＢと残余内部空間ＳＰＣとを連通している。
【００２９】
なお、本例において、前面側空間ＳＰＡは、第１の分割空間を構成している。また、背面側空間ＳＰＢ及び残余内部空間ＳＰＣは、第２の分割空間を構成している。
【００３０】
更に、電子機器１０は、第１の防水膜５１と第２の防水膜５２とを備える。
第１の防水膜５１は、液体を遮断し（即ち、液体の通過を禁止し）且つ気体の通過を許容する平板状の部材である。本例では、第１の防水膜５１は、ゴアテックス（登録商標）からなる。第１の防水膜５１は、Ｚ軸負方向に向かって電子機器１０を見た正面視において、信号変換器２２と略同じ大きさの長方形状を有する。第１の防水膜５１は、すべての開口部２２ｂを被覆するように基部２のＺ軸正方向側の表面に固定されている。
【００３１】
第２の防水膜５２は、液体を遮断し且つ気体の通過を許容する平板状の部材である。第２の防水膜５２は、Ｚ軸負方向に向かって電子機器１０を見た正面視において、第１の開口部２３よりも大径の円形状を有する。第２の防水膜５２は、第１の開口部２３を被覆するように基部２のＺ軸正方向側の表面に固定されている。
【００３２】
加えて、電子機器１０は、接着シート４を備える。接着シート４は、平板状の部材である。接着シート４の表面には、接着剤が塗布されている。接着シート４は、Ｚ軸負方向に向かって電子機器１０を見た正面視において、基部２及び表面部３と略同じ形状を有する。
【００３３】
接着シート４には、Ｚ軸方向に貫通した貫通孔４１が形成されている。貫通孔４１は、第１の防水膜５１及び第２の防水膜５２の両方を収容するように、且つ、貫通孔３ａと連接するように、形成されている。接着シート４は、基部２及び表面部３の間に挿入されている。即ち、基部２及び表面部３は、両者の間に接着シート４を挟むことにより、互いに固定されている。
【００３４】
このような構成により、開口部２２ｂ及び貫通孔４１は、第１の分割空間と貫通孔３ａとを連通する第１の連通路を構成している。また、第１の開口部２３及び貫通孔４１は、第２の分割空間と貫通孔３ａとを連通する第２の連通路を構成している。
【００３５】
また、筐体２２ａ及び振動板２２ｄは、内部空間２１を、第１の分割空間と第２の分割空間とに分割する隔壁を構成している。更に、振動板２２ｄの前面は、第１の分割空間に連接している。一方、振動板２２ｄの背面は、第２の分割空間に連接している。
【００３６】
また、第１の防水膜５１は、第１の連通路にて、液体を遮断し且つ気体の通過を許容する。同様に、第２の防水膜５２は、第２の連通路にて、液体を遮断し且つ気体の通過を許容する。
【００３７】
次に、上記のように構成された電子機器１０の作動について説明する。
電子機器１０は、信号変換器２２に電気信号を入力する。信号変換器２２は、入力された電気信号に応じた電流をコイル２２ｅに流す。これにより、コイル２２ｅは、Ｚ軸方向において駆動される。その結果、振動板２２ｄは振動する。これにより、信号変換器２２は、音響信号（音波）を発生する。
【００３８】
信号変換器２２が発生した音響信号は、図３の矢印ＡＲ１により示したように、第１の連通路を経由して、第１の分割空間から筐体１の外部へ伝搬される。このように、振動板２２ｄと連接する第１の分割空間と貫通孔３ａとが連通されているので、信号変換器２２と筐体１の外部との間で音響信号を確実に伝搬させることができる。
【００３９】
また、第２の分割空間内の気圧が、筐体１の外部の気圧よりも高くなった場合、第２の分割空間内の空気は、図３の矢印ＡＲ２及び矢印ＡＲ３により示したように、第２の連通路を経由して、第２の分割空間から筐体１の外部へ流出する。一方、第２の分割空間内の気圧が、筐体１の外部の気圧よりも低くなった場合、筐体１の外部の空気は、図３の矢印ＡＲ２及び矢印ＡＲ３により示したように、第２の連通路を経由して、筐体１の外部から第２の分割空間へ流入する。
【００４０】
これにより、振動板２２ｄが振動することによる、背面側空間ＳＰＢ内の気圧の変動に伴って生じる、振動板２２ｄが振動する際の抵抗力を、振動板２２ｄの背面に連接する空間が密閉されている場合よりも小さくすることができる。
【００４１】
更に、第２の分割空間内の気圧を、筐体１の外部の気圧に近づけることができる。即ち、第２の分割空間内の気圧を調整することができる。これにより、第２の分割空間内の気圧と筐体１の外部の気圧との差が過大となることによって、筐体１が破損することを防止することができる。
【００４２】
また、貫通孔３ａから筐体１の内部へ液体が流入した場合、流入した液体は、第１の防水膜５１及び第２の防水膜５２により遮断される。これにより、基部２の内部へ液体が流入することを防止することができる。
【００４３】
以上、説明したように、本発明による電子機器の第１実施形態によれば、表面部３に形成される開口部の数を低減することができる。この結果、表面部３のデザインの自由度を高めることができる。また、振動板２２ｄと連接する第１の分割空間と貫通孔３ａとが連通されているので、信号変換器２２と筐体１の外部との間で音響信号を確実に伝搬させることができる。
【００４４】
更に、上記第１実施形態においては、振動板２２ｄの背面に連接する空間（第２の分割空間）が筐体１の外部と連接している。これによれば、振動板２２ｄが振動する際の抵抗力が、振動板２２ｄの背面に連接する空間が密閉されている場合よりも小さくなる。この結果、音響信号と電気信号との間の変換をより高い精度にて行うことができる。
【００４５】
加えて、上記第１実施形態においては、電子機器１０は、第１の防水膜５１及び第２の防水膜５２を備えている。これによれば、音響信号が伝搬することを許容するとともに、筐体１内に液体が入ることを防止することができる。
【００４６】
なお、上記第１実施形態の第１変形例に係る電子機器１０は、図４に示したように、第１の防水膜５１及び第２の防水膜５２に代えて、防水膜５３を備える。
防水膜５３は、液体を遮断し且つ気体の通過を許容する平板状の部材である。防水膜５３は、Ｚ軸正方向に向かって表面部３を見た正面視において、貫通孔３ａよりも大径の円形状を有する。防水膜５３は、貫通孔３ａを被覆するように表面部３のＺ軸負方向側の表面に固定されている。
【００４７】
この第１変形例によっても、上記第１実施形態と同様の作用及び効果を奏することができる。更に、上記第１変形例によれば、防水膜の数を低減することができる。
【００４８】
また、上記第１実施形態の他の変形例において、電子機器１０は、第１の防水膜５１及び第２の防水膜５２を備えていなくてもよい。
【００４９】
＜第２実施形態＞
次に、本発明の第２実施形態に係る電子機器について説明する。第２実施形態に係る電子機器は、上記第１実施形態に係る電子機器に対して、筐体１の内部空間２１が３つの空間に分割されている点において相違している。従って、以下、かかる相違点を中心として説明する。
【００５０】
第２実施形態に係る基部２は、図５に示したように、隔壁２５を有している。隔壁２５は、残余内部空間ＳＰＣを、第１の残余内部空間ＳＰＣ１と、第２の残余内部空間ＳＰＣ２と、に分割する。第２の残余内部空間ＳＰＣ２は、開口部２２ｇ及び第１の開口部２３のそれぞれと連接している。
【００５１】
また、基部２のＺ軸正方向側の表面には、第１の開口部２３及び第２の開口部２４に加えて、基部２の外部に開口する第３の開口部２６が形成されている。第３の開口部２６は、第１の残余内部空間ＳＰＣ１と基部２の外部の空間とを連通する。第３の開口部２６は、円形状を有する。
【００５２】
なお、本例において、前面側空間ＳＰＡは、第１の分割空間を構成している。また、背面側空間ＳＰＢ及び第２の残余内部空間ＳＰＣ２は、第２の分割空間を構成している。また、第１の残余内部空間ＳＰＣ１は、第３の分割空間を構成している。
【００５３】
更に、電子機器１０は、第３の防水膜５４を備える。
第３の防水膜５４は、液体を遮断し且つ気体の通過を許容する平板状の部材である。第３の防水膜５４は、Ｚ軸負方向に向かって電子機器１０を見た正面視において、第３の開口部２６よりも大径の円形状を有する。第３の防水膜５４は、第３の開口部２６を被覆するように基部２のＺ軸正方向側の表面に固定されている。
【００５４】
貫通孔４１は、第１の防水膜５１、第２の防水膜５２、及び、第３の防水膜５４のすべてを収容するように、且つ、貫通孔３ａと連接するように、形成されている。
【００５５】
このような構成により、開口部２２ｂ及び貫通孔４１は、第１の分割空間と貫通孔３ａとを連通する第１の連通路を構成している。また、第１の開口部２３及び貫通孔４１は、第２の分割空間と貫通孔３ａとを連通する第２の連通路を構成している。更に、第３の開口部２６及び貫通孔４１は、第３の分割空間と貫通孔３ａとを連通する第３の連通路を構成している。
【００５６】
この第２実施形態に係る電子機器１０によれば、上記第１実施形態と同様に、表面部３に形成される開口部の数を低減することができる。この結果、表面部３のデザインの自由度を高めることができる。また、振動板２２ｄと連接する第１の分割空間と貫通孔３ａとが連通されているので、信号変換器２２と筐体１の外部との間で音響信号を確実に伝搬させることができる。
【００５７】
更に、上記第２実施形態においては、上記第１実施形態と同様に、振動板２２ｄの背面に連接する空間（第２の分割空間）が筐体１の外部と連接している。これによれば、振動板２２ｄが振動する際の抵抗力が、振動板２２ｄの背面に連接する空間が密閉されている場合よりも小さくなる。この結果、音響信号と電気信号との間の変換をより高い精度にて行うことができる。
【００５８】
加えて、上記第２実施形態においては、第３の分割空間が筐体１の外部と連接している。これによれば、第３の分割空間内の気圧を、筐体１の外部の気圧に近づけることができる。即ち、第３の分割空間内の気圧を調整することができる。これにより、第３の分割空間内の気圧と筐体１の外部の気圧との差が過大となることによって、筐体１が破損することを防止することができる。
【００５９】
加えて、上記第２実施形態においては、電子機器１０は、第１の防水膜５１、第２の防水膜５２、及び、第３の防水膜５４を備えている。これによれば、音響信号が伝搬することを許容するとともに、筐体１内に液体が入ることを防止することができる。
【００６０】
なお、上記第２実施形態の第１変形例に係る電子機器１０の表面部３には、図６に示したように、貫通孔３ａに加えて、Ｚ軸方向に貫通した貫通孔３ｂが形成されている。貫通孔３ｂは、筐体１の外部に開口する開口部を構成する。貫通孔（開口部）３ｂは、貫通孔３ａよりもＹ軸正方向側に位置している。
【００６１】
接着シート４には、貫通孔４１に加えて、Ｚ軸方向に貫通した貫通孔４２が形成されている。本例では、貫通孔４１は、第１の防水膜５１及び第２の防水膜５２の両方を収容するように、且つ、貫通孔３ａと連接するように、形成されている。また、貫通孔４２は、第３の防水膜５４を収容するように、且つ、貫通孔３ｂと連接するように、形成されている。
【００６２】
このような構成により、第３の開口部２６及び貫通孔４２は、第３の分割空間と貫通孔３ｂとを連通する第４の連通路を構成している。即ち、この第１変形例においては、第３の分割空間内の気圧が、筐体１の外部の気圧よりも高くなった場合、第３の分割空間内の空気は、図６の矢印ＡＲ４により示したように、第４の連通路を経由して、第３の分割空間から筐体１の外部へ流出する。一方、第３の分割空間内の気圧が、筐体１の外部の気圧よりも低くなった場合、筐体１の外部の空気は、図６の矢印ＡＲ４により示したように、第４の連通路を経由して、筐体１の外部から第３の分割空間へ流入する。
【００６３】
なお、この第１変形例によっても、上記第２実施形態と同様の作用及び効果を奏することができる。
【００６４】
＜第３実施形態＞
次に、本発明の第３実施形態に係る電子機器について説明する。第３実施形態に係る電子機器は、上記第１実施形態に係る電子機器に対して、筐体１の内部空間２１が３つの空間に分割され、且つ、振動板２２ｄの前面に連接する空間に連接する筐体１の開口部と、振動板２２ｄの背面に連接する空間に連接する筐体１の開口部と、が互いに異なる点において相違している。従って、以下、かかる相違点を中心として説明する。
【００６５】
第３実施形態に係る基部２は、図７に示したように、隔壁２７を有している。隔壁２７は、Ｙ軸方向において、残余内部空間ＳＰＣを、第１の残余内部空間ＳＰＣ１と、第２の残余内部空間ＳＰＣ２と、に分割する。第１の残余内部空間ＳＰＣ１は、第１の開口部２３と連接している。
【００６６】
また、基部２のＺ軸負方向側の表面には、基部２の外部に開口する第４の開口部２８が形成されている。第４の開口部２８は、第２の残余内部空間ＳＰＣ２と基部２の外部の空間とを連通する。第４の開口部２８は、円形状を有する。
【００６７】
なお、本例において、前面側空間ＳＰＡは、第１の分割空間を構成している。また、第１の残余内部空間ＳＰＣ１は、第２の分割空間を構成している。また、背面側空間ＳＰＢ及び第２の残余内部空間ＳＰＣ２は、第３の分割空間を構成している。
【００６８】
即ち、筐体２２ａ及び振動板２２ｄは、第１の分割空間を形成する隔壁の一部を構成している。また、筐体２２ａ及び振動板２２ｄは、第３の分割空間を形成する隔壁の一部を構成している。更に、振動板２２ｄの前面は、第１の分割空間に連接している。一方、振動板２２ｄの背面は、第３の分割空間に連接している。
【００６９】
更に、電子機器１０は、第３の防水膜５５を備える。
第３の防水膜５５は、液体を遮断し且つ気体の通過を許容する平板状の部材である。第３の防水膜５５は、Ｚ軸負方向に向かって基部２を見た正面視において、第４の開口部２８よりも大径の円形状を有する。第３の防水膜５５は、第４の開口部２８を被覆するように基部２の内壁面のうちのＺ軸負方向側の内壁面に固定されている。
【００７０】
このような構成により、開口部２２ｂ及び貫通孔４１は、第１の分割空間と貫通孔３ａとを連通する第１の連通路を構成している。また、第１の開口部２３及び貫通孔４１は、第２の分割空間と貫通孔３ａとを連通する第２の連通路を構成している。
【００７１】
この第３実施形態においても、信号変換器２２が発生した音響信号は、図７の矢印ＡＲ１により示したように、第１の連通路を経由して、第１の分割空間から筐体１の外部へ伝搬される。このように、振動板２２ｄと連接する第１の分割空間と貫通孔３ａとが連通されているので、信号変換器２２と筐体１の外部との間で音響信号を確実に伝搬させることができる。
【００７２】
また、第２の分割空間内の気圧が、筐体１の外部の気圧よりも高くなった場合、第２の分割空間内の空気は、図７の矢印ＡＲ２により示したように、第２の連通路を経由して、第２の分割空間から筐体１の外部へ流出する。一方、第２の分割空間内の気圧が、筐体１の外部の気圧よりも低くなった場合、筐体１の外部の空気は、図７の矢印ＡＲ２により示したように、第２の連通路を経由して、筐体１の外部から第２の分割空間へ流入する。
【００７３】
これにより、第２の分割空間内の気圧を、筐体１の外部の気圧に近づけることができる。即ち、第２の分割空間内の気圧を調整することができる。これにより、第２の分割空間内の気圧と筐体１の外部の気圧との差が過大となることによって、筐体１が破損することを防止することができる。
【００７４】
また、第３の分割空間内の気圧が、筐体１の外部の気圧よりも高くなった場合、第３の分割空間内の空気は、図７の矢印ＡＲ３及び矢印ＡＲ５により示したように、第４の開口部２８を経由して、第３の分割空間から筐体１の外部へ流出する。一方、第３の分割空間内の気圧が、筐体１の外部の気圧よりも低くなった場合、筐体１の外部の空気は、図７の矢印ＡＲ３及び矢印ＡＲ５により示したように、第４の開口部２８を経由して、筐体１の外部から第３の分割空間へ流入する。
【００７５】
これにより、振動板２２ｄが振動することによる、背面側空間ＳＰＢ内の気圧の変動に伴って生じる、振動板２２ｄが振動する際の抵抗力を、振動板２２ｄの背面に連接する空間が密閉されている場合よりも小さくすることができる。
【００７６】
また、貫通孔３ａ又は第４の開口部２８から筐体１の内部へ液体が流入した場合、流入した液体は、第１の防水膜５１及び第２の防水膜５２、又は、第３の防水膜５５により遮断される。これにより、基部２の内部へ液体が流入することを防止することができる。
【００７７】
このように、この第３実施形態によっても、上記第１実施形態と同様の作用及び効果を奏することができる。
【００７８】
＜第４実施形態＞
次に、本発明の第４実施形態に係る電子機器について図８を参照しながら説明する。
第４実施形態に係る電子機器１００は、信号変換器１１０と、筐体１２０と、を備える。
【００７９】
信号変換器１１０は、振動板１１１を有し、且つ、音響信号及び電気信号のいずれか一方の信号が入力された場合に、振動板１１１が振動することによって当該入力された信号を他方の信号に変換する。
筐体１２０には、内部空間ＳＰＤが形成される。更に、筐体１２０は、内部空間ＳＰＤに信号変換器１１０を収容する。
【００８０】
筐体１２０には、筐体１２０の外部に開口する開口部１２１が形成される。
筐体１２０は、内部空間ＳＰＤを、第１の分割空間ＳＰＤ１及び第２の分割空間ＳＰＤ２を含む複数の分割空間に分割する隔壁１２２を有する。
【００８１】
振動板１１１は、第１の分割空間ＳＰＤ１を形成する隔壁の少なくとも一部を構成する。
筐体１２０には、第１の分割空間ＳＰＤ１と開口部１２１とを連通する第１の連通路（本例では、矢印ＡＲ１により示された連通路）と、第２の分割空間ＳＰＤ２と開口部１２１とを連通する第２の連通路（本例では、矢印ＡＲ２により示された連通路）と、が形成される。
【００８２】
これによれば、筐体１２０に形成される開口部の数を低減することができる。この結果、筐体１２０のデザインの自由度を高めることができる。また、振動板１１１と連接する第１の分割空間ＳＰＤ１と開口部１２１とが連通されているので、信号変換器１１０と筐体１２０の外部との間で音響信号を確実に伝搬させることができる。
【００８３】
この場合、上記振動板は、上記第１の分割空間を形成する隔壁の少なくとも一部を構成するとともに、上記第２の分割空間を形成する隔壁の少なくとも一部を構成し、且つ、当該振動板の一方の面である前面が当該第１の分割空間に連接するように構成されるとともに、当該振動板の他方の面である背面が当該第２の分割空間に連接するように構成されることが好適である。
【００８４】
これによれば、振動板が振動する際の抵抗力が、振動板の背面に連接する空間が密閉されている場合よりも小さくなる。この結果、音響信号と電気信号との間の変換をより高い精度にて行うことができる。
【００８５】
この場合、上記複数の分割空間は、更に、第３の分割空間を含み、
上記筐体には、更に、上記第３の分割空間と上記開口部とを連通する第３の連通路が形成されることが好適である。
【００８６】
これによれば、第３の分割空間内の気圧を筐体の外部の気圧に近づけることができる。即ち、第３の分割空間内の気圧を調整することができる。これにより、内部空間内の気圧と筐体の外部の気圧との差が過大となることによって、筐体が破損することを防止することができる。
【００８７】
また、本発明の他の態様に係る電子機器において、
上記複数の分割空間は、更に、第３の分割空間を含み、
上記振動板は、上記第１の分割空間を形成する隔壁の少なくとも一部を構成するとともに、上記第３の分割空間を形成する隔壁の少なくとも一部を構成し、且つ、当該振動板の一方の面である前面が当該第１の分割空間に連接するとともに、当該振動板の他方の面である背面が当該第３の分割空間に連接することが好適である。
【００８８】
これによれば、第３の分割空間内の気圧を筐体の外部の気圧に近づけることができる。即ち、第３の分割空間内の気圧を調整することができる。これにより、内部空間内の気圧と筐体の外部の気圧との差が過大となることによって、筐体が破損することを防止することができる。
【００８９】
この場合、上記筐体は、密閉構造を有し、
上記電子機器は、上記連通路にて、液体を遮断し且つ気体の通過を許容する防水膜を備えることが好適である。
【００９０】
これによれば、音響信号が伝搬することを許容するとともに、筐体内に液体が入ることを防止することができる。
【００９１】
この場合、上記信号変換器は、上記電気信号が入力された場合に、当該入力された電気信号に基づいて上記振動板を振動させる駆動部を備え、
上記駆動部の少なくとも一部は、上記振動板の一方の面である背面に配設され、
上記振動板は、上記振動板の上記背面と逆側の面である前面が上記第１の分割空間に連接するように構成されることが好適である。
【００９２】
また、上記電子機器の他の態様において、
上記信号変換器は、上記音響信号が入力された場合に、当該入力された音響信号に応じた上記振動板の振動量を検出する検出部を備え、
上記検出部の少なくとも一部は、上記振動板の一方の面である背面に配設され、
上記振動板は、上記振動板の上記背面と逆側の面である前面が上記第１の分割空間に連接するように構成されることが好適である。
【００９３】
また、本発明の他の形態である携帯電話機は、
振動板を有し、且つ、音響信号及び電気信号のいずれか一方の信号が入力された場合に、当該振動板が振動することによって当該入力された信号を他方の信号に変換する信号変換器と、
内部空間が形成されるとともに当該内部空間に上記信号変換器を収容する筐体と、
を備え、
上記筐体には、当該筐体の外部に開口する開口部が形成され、
上記筐体は、上記内部空間を、第１の分割空間及び第２の分割空間を含む複数の分割空間に分割する隔壁を有し、
上記振動板は、上記第１の分割空間を形成する隔壁の少なくとも一部を構成し、
上記筐体には、上記第１の分割空間と上記開口部とを連通する第１の連通路と、上記第２の分割空間と上記開口部とを連通する第２の連通路と、が形成される。
【００９４】
この場合、上記振動板は、上記第１の分割空間を形成する隔壁の少なくとも一部を構成するとともに、上記第２の分割空間を形成する隔壁の少なくとも一部を構成し、且つ、当該振動板の一方の面である前面が当該第１の分割空間に連接するように構成されるとともに、当該振動板の他方の面である背面が当該第２の分割空間に連接するように構成されることが好適である。
【００９５】
この場合、上記複数の分割空間は、更に、第３の分割空間を含み、
上記筐体には、更に、上記第３の分割空間と上記開口部とを連通する第３の連通路が形成されることが好適である。
【００９６】
また、本発明の他の態様に係る携帯電話機において、
上記複数の分割空間は、更に、第３の分割空間を含み、
上記振動板は、上記第１の分割空間を形成する隔壁の少なくとも一部を構成するとともに、上記第３の分割空間を形成する隔壁の少なくとも一部を構成し、且つ、当該振動板の一方の面である前面が当該第１の分割空間に連接するとともに、当該振動板の他方の面である背面が当該第３の分割空間に連接することが好適である。
【００９７】
また、本発明の他の形態である信号伝搬方法は、
振動板を有し、且つ、音響信号及び電気信号のいずれか一方の信号が入力された場合に、当該振動板が振動することによって当該入力された信号を他方の信号に変換する信号変換器と、
内部空間が形成されるとともに当該内部空間に上記信号変換器を収容する筐体と、
を備えるとともに、
上記筐体が、上記内部空間を、第１の分割空間及び第２の分割空間を含む複数の分割空間に分割する隔壁を有し、
上記振動板が、上記第１の分割空間を形成する隔壁の少なくとも一部を構成する、電子機器に適用され、
上記筐体の外部に開口するように形成された開口部と、上記第１の分割空間と、を連通するように形成された第１の連通路を経由して、上記音響信号が、当該第１の分割空間と当該筐体の外部との間を伝搬し、
上記開口部と、上記第２の分割空間と、を連通するように形成された第２の連通路を空気が通過する方法である。
【００９８】
この場合、上記振動板は、上記第１の分割空間を形成する隔壁の少なくとも一部を構成するとともに、上記第２の分割空間を形成する隔壁の少なくとも一部を構成し、且つ、当該振動板の一方の面である前面が当該第１の分割空間に連接するように構成されるとともに、当該振動板の他方の面である背面が当該第２の分割空間に連接するように構成されることが好適である。
【００９９】
この場合、上記複数の分割空間は、更に、第３の分割空間を含み、
上記信号伝搬方法は、上記開口部と、上記第３の分割空間と、を連通するように形成された第３の連通路を空気が通過することが好適である。
【０１００】
また、本発明の他の態様に係る信号伝搬方法において、
上記複数の分割空間は、更に、第３の分割空間を含み、
上記振動板は、上記第１の分割空間を形成する隔壁の少なくとも一部を構成するとともに、上記第３の分割空間を形成する隔壁の少なくとも一部を構成し、且つ、当該振動板の一方の面である前面が当該第１の分割空間に連接するとともに、当該振動板の他方の面である背面が当該第３の分割空間に連接することが好適である。
【０１０１】
上述した構成を有する、携帯電話機、又は、信号伝搬方法、の発明であっても、上記電子機器と同様の作用を有するために、上述した本発明の目的を達成することができる。
【０１０２】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０１０３】
例えば、上記各実施形態においては、信号変換器２２は、レシーバユニットであったが、スピーカユニットであってもよい。また、信号変換器２２は、音響信号が入力された場合に、振動板が振動することによって当該入力された音響信号を電気信号に変換するマイクロフォンユニットであってもよい。この場合、コイル２２ｅ及び磁石２２ｆは、信号変換器２２に音響信号が入力された場合に、当該入力された音響信号に応じた振動板２２ｄの振動量を検出する検出部を構成する。
【０１０４】
また、上記各実施形態において、電子機器１０は、携帯電話機であったが、パーソナル・コンピュータ、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔ）、カーナビゲーション端末、音響機器、又は、ゲーム端末等であってもよい。
【０１０５】
また、上記実施形態の他の変形例として、上述した実施形態及び変形例の任意の組み合わせが採用されてもよい。
【０１０６】
なお、本発明は、日本国にて２００９年１０月１５日に出願された特願２００９−２３７８２３の特許出願に基づく優先権主張の利益を享受するものであり、当該特許出願にて開示された内容のすべてが本明細書に含まれるものとする。
【産業上の利用可能性】
【０１０７】
本発明は、防水機能を有する携帯電話機等に適用可能である。
【符号の説明】
【０１０８】
１      筐体
２      基部
３      表面部
３ａ    貫通孔（開口部）
３ｂ    貫通孔（開口部）
４      接着シート
１０    電子機器
２１    内部空間
２２    信号変換器
２２ａ  筐体
２２ｂ  開口部
２２ｃ  内部空間
２２ｄ  振動板
２２ｅ  コイル
２２ｆ  磁石
２２ｇ  開口部
２３    第１の開口部
２４    第２の開口部
２５    隔壁
２６    第３の開口部
２７    隔壁
２８    第４の開口部
４１    貫通孔
４２    貫通孔
５１    第１の防水膜
５２    第２の防水膜
５３    防水膜
５４    第３の防水膜
５５    第３の防水膜
１００  電子機器
１１０  信号変換器
１１１  振動板
１２０  筐体
１２１  開口部
１２２  隔壁
ＳＰＡ  前面側空間
ＳＰＢ  背面側空間
ＳＰＣ  残余内部空間
ＳＰＣ１  第１の残余内部空間
ＳＰＣ２  第２の残余内部空間
ＳＰＤ  内部空間
ＳＰＤ１  第１の分割空間
ＳＰＤ２  第２の分割空間
【図１】
0005630442.tif 000002
【図２】
0005630442.tif 000003
【図３】
0005630442.tif 000004
【図４】
0005630442.tif 000005
【図５】
0005630442.tif 000006
【図６】
0005630442.tif 000007
【図７】
0005630442.tif 000008
【図８】
0005630442.tif 000009